(57)【要約】【課題】通信ネットワークを形成する装置及び方法を提供する。【解決手段】ある特定の技術に関するネットワークの論理的又は物理的なトポロジーのような、幾つかのモジュールに分割されており、ここでそれらの各モジュールはネットワークの１つのレイヤを表す。形成しようとしているネットワークに依存して、必要なモジュールが使用される、つまり、複数のモジュールのセットがネットワークを形成するために選択される。あるネットワーク部分は、関連モジュールで形成される。各モジュールは、下のモジュール、つまり、下のレイヤを表すモジュールからのリソース（接続のためのルート及び容量）を使用して、上のモジュール、つまり、上のレイヤを表すモジュールへリソースを与える。故に、リソースのストリームは、あるモジュールから隣接するモジュールに対してだけであり、中間モジュールは回避される。【選択図】図１
2006157969.tif 000002
【特許請求の範囲】
【請求項１】
通信ネットワークを形成する装置において、前記装置は複数のモジュールを備えており、これらの各モジュールは、ある特定の技術に関して前記通信ネットワークのある物理的又は論理的な部分の形成を処理するものであり、前記複数のモジュールのセットは、前記通信ネットワークを互いに形成するように選択されており、前記複数のモジュールの前記セットは、他のものの上に存在するように構成されており、前記セットの各モジュールは、上のモジュールにリソースを与えることによってそれと相互作用し、且つ、下のモジュールからのリソースを使用することによってそれと相互作用することを特徴とする装置。
【請求項２】
請求項１記載の装置において、使用される前記複数のモジュールの前記セットは、前記通信ネットワークの構造に依存して選択することができる装置。
【請求項３】
請求項１又は２記載の装置において、モジュールは幾つかの物理的又は論理的な部分を形成することができる装置。
【請求項４】
請求項１記載の装置において、ルーチングは一度に前記セットの１つのモジュールで実行され、前記セットにおけるモジュール間の相互作用は、底モジュールの上のモジュールにおけるルートが該底モジュールで発見されるような方法で、他のモジュールが使用するために実行されるルーチングを転送することである請求項１記載の装置。
【請求項５】
通信ネットワークを形成する方法において、前記方法は、 前記通信ネットワークをお互いの上の幾つかの機能レベルにモデル化するステップであって、各機能レベルは、ある特定の技術に関して前記通信ネットワークのある物理的又は論理的な部分を表すものである、前記ステップと、 それぞれが特定のレベルに対応するような特定のモジュールで各機能レベルを形成するステップと、を備え、 前記特定のモジュールは、上のレイヤに対応するモジュールとリソースをそれに提供することによって相互作用し、且つ、下のレイヤに対応するモジュールとそれからのリソースを使用することによって相互作用することを特徴とする方法。
【請求項６】
請求項５記載の方法において、ルーチングは一度に１つのモジュールで実行され、モジュール間の相互作用は、他のモジュールの使用のために実行されるルーチングを転送することである方法。
【発明の詳細な説明】
【技術分野】
【０００１】
本発明は通信ネットワークの形成に関する。
【背景技術】
【０００２】
通信ネットワークを形成することを目的とするプロセスを考察するとそれがどれほど複雑な仕事であるかが分かる点で意味がある。例えば、セルラーネットワークを形成するプロセスでは、多くの細目に気をつけねばならない。例を挙げれば、ベースステーションと移動交換センタは地理領域に配置され、無線カバー領域が定義されなければならず、また、設備が選択され且つ形成され、サイトのライン（２つのサイト間の空いている放送間隔）情報が無線リンクに関して調査されなければならず、２Ｍビット／秒フレームの経路と仮想コンテナが創出され、いずれの現存のネットワークも考慮される。また、ネットワークの今後の発展も、考慮されなければならない。
【０００３】
例えば、セルラーネットワークは、何千ものリンクの大きさとなることがあり、ネットワークにおいて幾つかの技術が存在し得る。ネットワークを形成するプロセスは、多くの相互に関連した決定が成されなければならないような、相互に作用するプロセスである。しばしばこのプロセスは行き詰まる。通常の手作業は誤りがちであり、また、ネットワークにおける設備の各部品に関して複数のパラメータを設定する必要がある。この結果、エラーは進行中のプロセスに遅延を生じさせる。ときどき、合意された期限に対して罰金を払わなければならない。しばしは、ネットワーク全体が同時には形成されずに、時間ととも拡張する。セルラーネットワークを形成するプロセス全体を考慮することは困難な仕事である。現在では、ネットワークのプロセスと拡張を処理するために多くの並列装置が存在する。しばしば、手作業が必要とされる。いまだに、ネットワークのプロセスと拡張の双方を処理するために、単一の適当な装置は存在しない。本発明の目的は、これら既知の解決策の欠点を軽減することである。これは請求項に記載された方法で達成される。
【発明の開示】
【０００４】
本発明は、通信ネットワークを形成する装置と方法を提供する。ネットワークを、お互いの上の（複数の）レイヤ（各レイヤはそのネットワークのある特定のタスク領域を表す）として考えることは有用である。本発明の装置は、ある特定の技術に関するネットワークの論理的又は物理的なトポロジーのような、幾つかのモジュールに分割されており、ここでそれらの各モジュールはネットワークの１つのレイヤを表す。形成しようとしているネットワークに依存して、必要なモジュールが使用される、つまり、複数のモジュールのセットがネットワークを形成するために選択される。あるネットワーク部分は、関連モジュールで形成される。各モジュールは、下のモジュール、つまり、下のレイヤを表すモジュールからのリソース（接続のためのルート及び容量）を使用して、上のモジュール、つまり、上のレイヤを表すモジュールへリソースを与える。故に、リソースのストリーム（流れ）は、あるモジュールから隣接するモジュールに対するものだけであり、中間モジュールは回避される。中間のレイヤを除外することができれば、プロセスの形成を拡張することができる。２つしか基本レイヤ（例えば、論理接続とラインシステム）を有しない初期ネットワークを開発し、より多くのネットワークレイヤを追加することによってそのネットワークを徐々に再定義することができる。
【発明を実施するための最良の形態】
【０００５】
以下、添付図面の図１乃至図３によって本発明をより詳細に説明する。複雑な通信ネットワークを取り扱うために、本発明の装置は、通信ネットワークのあるタスクを形成するための幾つかのモジュール（各モジュールはある特定のレイヤを表す）を備える。例を挙げれば、コンジット（電線管）、ラインシステム、ＶＣ−４、２Ｍビット／秒、ＡＴＭリンク、ＡＴＭ仮想経路、ＡＴＭ仮想回路、ＩＰ、ＷＤＭ、及びセルラーモジュールが存在する。他の多くのモジュールも同様に存在し、新たなモジュールは新たな技術が使用されるようになったときに創出されるだろう。どのモジュールが使用されるのかは、形成されるべきネットワークに依存する。
【０００６】
ネットワークを、お互いの上の（複数の）レイヤ（各レイヤはそのネットワークのある特定のタスク領域を表す）として考えることは有用である。使用される複数のレイヤ（モジュール）のセットは２つの側面に依存する。先ず、レイヤは異なる技術的解法に対応する。技術的な定義は、それ故、どのレイヤが必要とされているのかを指図する。例えば、ＰＤＨ無線リンク上でインバース（逆）マルチプレキシングを備えたＡＴＭを使用すると、それはそのまま、ＡＴＭモジュールとＰＤＨモジュールの使用を必要とすることになる。換言すれば、それらのモジュールは、ネットワークの異なるレイヤを表すということになる。同様に、ＳＤＨトランスポートリンク上でインタースイッチトラフィックをモデル化すると、ＩＳＷ（インタースイッチング）、ＶＣ−４、ラインシステム、コンジットモジュールを使用することになる。
【０００７】
他の誘導要因は計画の正確さである。一般に、より正確な結果が必要とされれば、より多くのモジュールが必要とされる。２、３のモジュールだけを大雑把に形成することは、ネットワークの振る舞い全体を理解するには十分である。各モジュールは、それら自身の詳細レベルを追加することから、目的がネットワーク開発であれば（これは設備とクロス接続の各部品について正確な構造設定を必要とする）、より多くのモジュールが必要とされる。
【０００８】
ネットワークを形成するプロセスはしばしば、異なる技術的解法を考慮する。故に、しばしば、同じ上位のトラフィックとモジュールが使用されるが、異なる解法を比較するときは、下位のモジュールは変更され得る。この方法で、同じネットワークを、例えば、ファイバ上のＳＤＨを用いて、また、ＷＤＭ実施を用いて計算し、それらの解法のコストを比較することができる。
【０００９】
各モジュールは、各レイヤの特別なノードとリンクタイプを記述するノード及びノード間のリンクを備える。単一（１つ）のノードは、例えば、セルラーモジュールのベースステーション、トランスポートモジュールのアクセスノード、及び詳細モジュールの「ウルトラサイト」（プロダクト名）ノードとして記述され得る。各モジュールはまた、計算回路交換トラフィック、又は、どのようにして異なるレイヤを通じてルートが向けられるかといった、レイヤ特定計算及びルーチング方法を備えている。一般に、ルーチングという用語は、２つのエンドポイント間のデータストリーム経路（接続）を選択することを意味する。本明細書では、ルーチングは、ネットワーク全体若しくはある特定のネットワーク部分をルーチングするための、つまり、ネットワークにおける若しくはある特定のネットワーク部分における全てのデータストリームをルーチングするための、プロセスをも意味する。更に、各レイヤとモジュールは、詳細モジュールにおいてクロス接続の発生のような特定のタスクを備える。
【００１０】
前述したように、通信ネットワークをお互いの上の（複数の）レイヤとして考えると都合がよい。５つの異なるレイヤのセルラーネットワークの一例が図１に示されている。コンジットレイヤ（１）は、ラインシステムレイヤ（２）で定義されるラインシステム（ＳＴＭ−４若しくはＳＴＭ−１６設備とルートのような）を支持する。各ラインシステムリンク（６）（無線リンク若しくはＳＴＭコンテナのような）は、コンジットルート（７）（コンジットは多くのラインシステムリンクを支持することもできる）を有しなければならない。各ラインシステムノード（８）は、コンジットレイヤノード（９）に配置されなけばならない。図２ａ、２ｂは、コンジットとラインシステムレイヤのより詳細な例を示す。コンジット（２１）を除く数字は、コンジットにおけるファイバの数を表している。図２ｂは、使用されるサイト及びラインシステムにおける設備タイプを示す。１*ＳＴＭ−１６は、コンジットレイヤに表れているコンジットにおいて２つのファイバを採用する。
【００１１】
ラインシステムレイヤは、ＶＣ−４レイヤ（３）にＳＤＨハイオーダリンク（１０）（図１）を形成する仮想コンテナ（ＶＣ−４ｓ）を支持する。各ＶＣ−４リンクは、ラインシステムリンク（６）を有していなければならない。１つのラインシステムリンクが、幾つかのＶＣ−４リンクを支持することができることに注意してもらいたい。（図２ａと図２ｂにおけるコンジットとラインシステムレイヤとの間の状態を比較してもらいたい。）保護ＶＣ−４ルートは、第１及び第２ラインシステムルートを要求する、つまり、１つのＶＣ−４リンクは、２つの別々のラインシステムリンクを要求する。それぞれ、ＶＣ−４レイヤは、細分性（granularity）（フレームサイズ）の観点からは、２Ｍビット／秒経路に等しいＶＣ−１２経路を支持する。換言すれば、ＶＣ１２は、２Ｍビット／秒レイヤ（４）で創出される。論理接続が論理接続レイヤ（５）で定義される、つまり、８−６４ｋビット／秒接続が２Ｍビット／秒レイヤによって支持される。対応するモジュールは、コンジット（コンジットレイヤ）、ラインシステム（ラインシステムレイヤ）、ＶＣ−４（ＶＣ−４レイヤ）、２Ｍビット／秒（２Ｍビット／秒レイヤ）、及びセルラー（論理接続レイヤ）モジュールである。
【００１２】
各レイヤは、下のレイヤからのリソース（資源）（ルーチング及び容量可能性）を使用し、リソースを上のモジュールに与える。故に、主要なリソースのストリーム（１１）（図１）は、あるレイヤから隣接するレイヤに対するものだけであり、中間のレイヤは回避されない。中間のレイヤを除外することができれば、プロセスの形成を拡張することができる。２つしか基本レイヤ（例えば、論理接続とラインシステム）を有しない初期ネットワークを開発し、より多くのネットワークレイヤを追加することによってそのネットワークを徐々に再定義することもできる。例えば、図１の場合、ＶＣ−４レイヤを後に創出することができる。
【００１３】
モジュール（レイヤ）間のリソースのストリームは自動動作である。このストリームが上のモジュールから下のモジュールへの入力を形成するということが出来る。モジュールへの入力は、そのモジュールによって実行される必要のある複数のトラフィックデマンド（要求）のセットである。伝送リンク（接続）の観点からリソースのストリームを見てみよう。トラフィックが伝送リンクにルーティングされたときは、その伝送リンクの容量を計算することができる。典型的には、このリンクは下に存在するレイヤで移送される。このリンクは、したがって、下に存在するレイヤ等へのトラフィックデマンドになる。更に、他のモジュールのノードは、モジュール内に新たなノードを創出する（例えば、セルラーモジュールのＢＴＳノードは、トランスポートモジュールに伝送ノードを創出する）。
【００１４】
上のことから明らかなように、ネットワークをルーチングする順番は、基本的には最下位（最も下の）レイヤから最上位（最も上の）レイヤへというものである。先ず、ラインシステムはコンジットへ（Ｉ）（図１）、その後、ＶＣ−４はラインシステムへ（II）、２Ｍビット／秒／ＶＣ−１２ｓはＶＣ−４ｓへ（III）、最後に論理接続は２Ｍビット／秒へ（IV）ルーチングされる。ルーチングは、トラフィックデマンドとモジュールのトポロジを組み合わせる。使用されるルーチングアルゴリズムとオプションはモジュールにかなり依存する。なぜなら、異なる技術は、全く異なるルーチング選択肢を有しているからである（例えば、ＩＰモジュールのパケット交換ｖｓトランスポートモジュールの回路交換）。物理ライン及びノードを表す底モジュール（最下位のモジュール）は、上のモジュール（上のレイヤ）からの全てのルートを含んでいなければならない。
【００１５】
主要なリソースのストリーム以外の他の方向でも、明確な相互作用が存在する（１２）（図１）。マルチレイヤルーチングコマンドは、下に存在するレイヤのルートを考慮し、従って、ルーチングを制約する。同様に、容量制限ルーチングコマンドは、容量情報をルーチングスタックにおいて上へ絶対的に伝播する。モジュール、つまりレイヤの使用は、反復プロセスである。
【００１６】
この装置の幾つかの重要な利点は、どのモジュールを使用したいのかをユーザが選択し、全種類のトランスポートスタックを創出できることである。また、幾つかのトラフィックをあるモジュールに、他のトラフィックを他のモジュールに（例えば、３ＧトラフィックをＡＴＭモジュールに、制御トラフィックをＩＰモジュールに）分けることもできる。また、異なるソース（コンバージェンス（収束））からのトラフィックを同じネットワークに組み合わせるもできる。例えば、一般のトランスポートネットワークは、異なるソースから生じるトラフィックのために使用され得る。
【００１７】
ユーザは必要とされる複数のモジュールのセットを選択する。ユーザは、このセットを総合的に変更することができる。モジュールを使用することにより、ユーザは、 ネットワークレベルを詳細に制御することができる、例えば、ユーザは、大雑把なピクチャ（状況）を得るためにトランスポートモジュールに対する論理接続をルーチングすることができ、より詳細なピクチャに関して、ユーザは、より多くのモジュール、つまりレイヤを使用することができる、例えば、図１の全てのレイヤを使用することができる。異なる技術解法を調査することができる、例えば、ＩＰトラフィックは、ＷＤＭレイヤへ若しくはＳＤＨレイヤへのいずれかに直接的にルーチングされ得る。ＡＴＭリンクは、２Ｍビット／秒レイヤで若しくはＳＴＭ−１レイヤでルーチングされ得る。また、図２に示されているように、多数のソースからのトラフィックをネットワークレイヤが支持しているような、収束ケースのツリーに似た構造を有することもできる。
【００１８】
図３は、異なるモジュール同士をどのように組み合わせるかの一例を示す。セルラーネットワークは、第２及び第３世代サブネットワークの双方を備えていることが所望される。セルラーモジュールは、サブネットワークの双方に対して論理接続（３１、３２）を創出することができる。第２世代サブネットワークの場合、論理接続は、２Ｍビット／秒ＰＤＨ仮想リンク（３３）によって支持される。これらのリンクは２Ｍビット／秒モジュールで創出される。それぞれ、２Ｍビット／秒ＰＤＨ仮想リンクは、ＡＴＭ仮想経路（３４）によって支持される。これらはＡＴＭ仮想経路モジュールで創出される。これらのＡＴＭ仮想経路は、（ＡＴＭリンクモジュールで創出される）大容量ＰＤＨリンク（３５）によって支持され、これらの大容量ＰＤＨリンクは、コンジットモジュールに固定された、物理コンジット（３６）に位置付けられねばならない。
【００１９】
第３世代サブネットワークの場合、論理接続は、ＡＴＭ仮想回路（３７）によって支持される。これらの回路は、ＡＴＭ仮想回路モジュールで創出される。それぞれ、ＡＴＭ仮想回路はＡＴＭ仮想経路（３４）によって支持される。これらのＡＴＭ仮想経路は、大容量ＰＤＨリンク（３５）によって支持され、これらの大容量ＰＤＨリンクは、物理コンジット（３６）に位置付けられる。他の選択は、ＩＰパケットストリーム（３８）で第３世代論理トラフィックを支持することである。これらのＩＰパケットストリームは、ＩＰモジュールで創出される。これらのＩＰパケットストリームは、光学チャネル（３９）で支持され得る。これらの光学チャネルは、ＷＤＭモジュールで創出される。これらの光学チャネルはファイバと物理コンジット（３６）中に位置付けられねばならない。
【００２０】
注目に値する事項は、幾つかのモジュールによってネットワークの幾つかのレイヤを形成することできることである。例えば、コンジットモジュールは、第２世代レイヤと第３世代レイヤの双方を創出する。形成プロセス全体は、それをより小さな複数の部分に分割しなければあまりに複雑すぎる。しかしながら、より小さな複数の部分は互いに論理的に結び付けられなければならない。一度に１つの（単一の）レイヤでルーチングと他の動作を実行するということは、プロセスを扱い易いままにする一方で、レイヤの相互作用によって、複数のレイヤ間で関連ルーチングと動作結果が転送されることである。相互作用はまた、ネットワーク全体にとって最適な構造を提供する。最適化のレベルは、反復プロセス内のパラメータを変更することによって改善され得る。ユーザは、自身の視点を一度に１つの（単一の）レイヤ、つまりモジュールに集中することができる。中間のレイヤを除外することができれば、プロセスの形成を拡張することができる。異なる技術解法を互いに検証し合うことができる。
【００２１】
本発明は多かれ少なかれセルラーネットワークの形成に関連して述べられているが、本発明を用いて他の通信ネットワークを同様に形成できることは明らかである。換言すれば、本発明を本発明の概念の範囲にある他の解法で使用することもできる。
【図面の簡単な説明】
【００２２】
【図１】異なるネットワークレイヤを示す図である。
【図２ａ】コンジットレイヤの使用の一例を示す図である。
【図２ｂ】ラインシステムレイヤの使用の一例を示す図である。
【図３】複数のモジュールのセットの一例を示す図である。
【図１】
2006157969.tif 000003
【図２ａ】
2006157969.tif 000004
【図２ｂ】
2006157969.tif 000005
【図３】
2006157969.tif 000006
【手続補正書】
【提出日】平成18年3月10日(2006.3.10)
【手続補正１】
【補正対象書類名】特許請求の範囲
【補正対象項目名】全文
【補正方法】変更
【補正の内容】
【特許請求の範囲】
【請求項１】
通信ネットワークを構築する計画用のシステムにおいて、
前記通信ネットワークは複数のレイヤを備え、
前記システムは、前記通信ネットワークのある１つのレイヤで使用できる技術的解法を各々が表すような少なくとも２つのモジュールのセットを備え、
構築すべき通信ネットワークの所望の技術的解法に基づいて前記セットの少なくとも２つのモジュールを選択することを可能とし、
構築すべき通信ネットワークをモデル化するために前記少なくとも２つのモジュールをレイヤ構造として重ね合わせて構成するものであり、
前記レイヤ構造の所定のモジュールは、前記所定のモジュールより上の隣接のモジュールに対してリソースを提供し、及び／又は、前記所定のモジュールより下の隣接のモジュールのリソースを使用するよう構成されており、
前記システムは更に、異なる技術的解法を表す代替のモジュールを選択し、前記代替のモジュールに基づいて前記通信ネットワークをモデル化し、前記異なる技術的解法を比較して前記モデル化に基づいて前記通信ネットワークを構築することを特徴とするシステム。
【請求項２】
前記セットの少なくとも１つのモジュールの技術的解法は、前記レイヤ構造の１つより多くのレイヤで使用できるよう構成されている請求項１記載のシステム。
【請求項３】
前記システムは更に、一度に１つのモジュールで前記レイヤ構造のデータストリーム経路を選択するものであり、ある所定のモジュールにおいては、該所定のモジュールより上の隣接のモジュールにおけるデータストリーム経路が該所定のモジュールにおいて発見されるよう構成されている請求項１又は２記載のシステム。
【請求項４】
通信ネットワークを構築する計画用の方法において、
前記通信ネットワークは複数のレイヤを備え、
前記方法は、
前記通信ネットワークのあるレイヤで使用できる技術的解法を各々が表すような少なくとも２つのモジュールのセットを形成する段階と、
構築すべき通信ネットワークの所望の技術的解法に基づいて前記セットの少なくとも２つのモジュールを選択する段階と、
構築すべき通信ネットワークをモデル化するために前記少なくとも２つのモジュールをレイヤ構造として重ね合わせて構成する段階と、を備え、
前記レイヤ構造の所定のモジュールは、前記所定のモジュールより上の隣接のモジュールに対してリソースを提供し、及び／又は、前記所定のモジュールより下の隣接のモジュールのリソースを使用するよう構成されており、
前記方法は更に、異なる技術的解法を表す代替のモジュールを選択し、前記代替のモジュールに基づいて前記通信ネットワークをモデル化し、前記異なる技術的解法を比較して前記モデル化に基づいて前記通信ネットワークを構築することを備えることを特徴とする方法。
【請求項５】
一度に１つのモジュールで前記レイヤ構造のデータストリーム経路を選択することを更に備え、ある所定のモジュールにおいては、該所定のモジュールより上の隣接のモジュールにおけるデータストリーム経路が該所定のモジュールにおいて発見されるよう構成されている請求項４記載の方法。
【請求項６】
通信ネットワークを構築するための計画用のモジュールにおいて、
前記通信ネットワークは複数のレイヤを備え、
前記モジュールは、少なくとも２つのモジュールのセットの一部であり；前記モジュールは、前記通信ネットワークのあるレイヤで使用できるある特別な技術的解法を表すものであり；前記セットは、異なる技術的解法を表す代替のモジュールを備え、前記通信ネットワークをモデル化し、前記異なる技術的解法を比較して前記通信ネットワークを構築するものであり；前記モジュールは、他のモジュールの上に、及び／又は、下に配列されるよう構成され、構築すべき通信ネットワークをモデル化するためにレイヤ構造を形成するものであり；前記モジュールは、前記所定のモジュールより上の隣接のモジュールに対してリソースを提供し、及び／又は、前記所定のモジュールより下の隣接のモジュールのリソースを使用するよう構成されていることを特徴とするモジュール。
【請求項７】
前記モジュールによって表される技術的解法は、セルラー、ＡＴＭ（非同期転送モード）、ＰＤＨ（独立同期デジタルハイアラキー）、ＳＤＨ（同期デジタルハイアラキー）、インターネットプロトコル、ＷＤＭ（波長分割多重）、及び物理コンジットの１つを備える請求項６記載のモジュール。
【請求項８】
前記モジュールは、コンジットモジュール、ラインシステムモジュール、ＶＣ−４（仮想コンテナ−４）モジュール、２Ｍビット／秒モジュール、ＡＴＭ（非同期転送モード）リンクモジュール、ＡＴＭ（非同期転送モード）仮想経路モジュール、ＡＴＭ（非同期転送モード）仮想回路モジュール、インターネットプロトコルモジュール、ＷＤＭ（波長分割多重）モジュール、及びセルラーモジュールの１つを備える請求項７記載のモジュール。
【請求項９】
ノードと該ノード間のリンクを備える請求項６記載のモジュール。
【請求項１０】
前記ノードと前記リンクのタイプは前記レイヤに特有である請求項９記載のモジュール。
【請求項１１】
前記ノード、及び／又は、前記リンクを、前記所定のモジュールより上の隣接のモジュールに対して、及び／又は、前記所定のモジュールより下の隣接のモジュールに対して、付加するよう構成されている請求項９記載のモジュール。
【請求項１２】
レイヤ特定計算及びルーチング方法を備える請求項９記載のモジュール。
【手続補正２】
【補正対象書類名】明細書
【補正対象項目名】０００４
【補正方法】変更
【補正の内容】
【０００４】
（発明の概要）
本発明は、通信ネットワークを形成（構築）する装置と方法を提供する。ネットワークを、互いに重なり合う（複数の）レイヤ（各レイヤはそのネットワークのある特定のタスク領域を表す）として考えることは有用である。本発明の装置は、ある特定の技術に関するネットワークの論理的又は物理的なトポロジーのような、幾つかのモジュールに分割されており、ここでそれらの各モジュールはネットワークの１つのレイヤを表す。形成しようとしているネットワークに依存して、必要なモジュールが使用される、つまり、複数のモジュールのセットがネットワークを形成するために選択される。あるネットワーク部分は、関連モジュールで形成される。各モジュールは、下のモジュール、つまり、下のレイヤを表すモジュールからのリソース（接続のためのルート及び容量）を使用して、上のモジュール、つまり、上のレイヤを表すモジュールへリソースを与える。故に、リソースの流れは、あるモジュールから隣接するモジュールに対するものだけであり、中間モジュールは回避されない。中間のレイヤを除外することができれば、プロセスの形成を拡張することができる。２つしか基本レイヤ（例えば、論理接続とラインシステム）を有しない初期ネットワークを開発し、より多くのネットワークレイヤを追加することによってそのネットワークを徐々に再定義することができる。
【手続補正３】
【補正対象書類名】明細書
【補正対象項目名】０００６
【補正方法】変更
【補正の内容】
【０００６】
ネットワークを、互いに重なり合う（複数の）レイヤ（各レイヤはそのネットワークのある特定のタスク領域を表す）として考えることは有用である。使用される複数のレイヤ（モジュール）のセットは２つの側面に依存する。先ず、レイヤは異なる技術的解法に対応する。技術的な定義は、それ故、どのレイヤが必要とされているのかを指図する。例えば、ＰＤＨ無線リンク上でインバース（逆）マルチプレキシングを備えたＡＴＭを使用すると、それはそのまま、ＡＴＭモジュールとＰＤＨモジュールの使用を必要とすることになる。換言すれば、それらのモジュールは、ネットワークの異なるレイヤを表すということになる。同様に、ＳＤＨトランスポートリンク上でインタースイッチトラフィックをモデル化すると、ＩＳＷ（インタースイッチング）、ＶＣ−４、ラインシステム、コンジットモジュールを使用することになる。
【手続補正４】
【補正対象書類名】明細書
【補正対象項目名】００１０
【補正方法】変更
【補正の内容】
【００１０】
前述したように、通信ネットワークを互いに重なり合う（複数の）レイヤとして考えると都合がよい。５つの異なるレイヤのセルラーネットワークの一例が図１に示されている。コンジットレイヤ（１）は、ラインシステムレイヤ（２）で定義されるラインシステム（ＳＴＭ−４若しくはＳＴＭ−１６設備とルートのような）を支持する。各ラインシステムリンク（６）（無線リンク若しくはＳＴＭコンテナのような）は、コンジットルート（７）（コンジットは多くのラインシステムリンクを支持することもできる）を有しなければならない。各ラインシステムノード（８）は、コンジットレイヤノード（９）に配置されなけばならない。図２ａ、２ｂは、コンジットとラインシステムレイヤのより詳細な例を示す。コンジット（２１）を除く数字は、コンジットにおけるファイバの数を表している。図２ｂは、使用されるサイト及びラインシステムにおける設備タイプを示す。１*ＳＴＭ−１６は、コンジットレイヤに表れているコンジットにおいて２つのファイバを採用する。